(57)【要約】      （修正有）【課題】手摺取付金具を縦横いずれの方向で挟持しても手摺柱が鉛直上向きに起立固定可能とすることで器材を兼用でき、さらに運搬時はコンパクトにすることができる手摺取付金具において、手摺柱の回動にボルトの抜き差しの煩わしさの無い手摺取付金具を提供する。【解決手段】金具フレーム２ａと手摺柱８の間に角度変更板８ｂを設け、角度変更板８ｂに支点孔８ｄと支点孔８ｄを中心とする中心角度が約１８０度の円弧状長孔８ｃを設ける。手摺柱８に角度変更板８ｂを固定し、支点孔８ｄと円弧状長孔８ｃに金具フレーム２ａを通したボルトナット７ａ，７ｂを設け、ボルトナット７ａ，７ｂを締め付けて金具フレーム２ａと手摺柱８を固定可能とした。【選択図】図３
0003186888.tif 000002
【実用新案登録請求の範囲】
【請求項１】
略コの字形をしたクランプ状の手摺取付金具で横方向または縦方向に挟持する形で固定して、略コの字形に構成する手摺取付金具の金具フレームに手摺柱を取り付け、手摺柱はその基端部で手摺取付金具の金具フレームに回動可能に軸支され、手摺取付金具の略コの字形の開口を下向きにして横方向に挟持する際も、略コの字形の開口を横向きにして縦方向に挟持する際も、いずれも手摺柱を鉛直上向きに起立固定可能とし、手摺柱に手摺パイプを取り付けるようにした転落防止手摺であり、手摺取付金具を使用しないときは手摺柱を手摺取付金具に添わせてコンパクトに折り畳むことができるようにした手摺取付金具において、金具フレームと手摺柱の間に角度変更板を設け、角度変更板に支点孔と支点孔を中心とする中心角度が約１８０度の円弧状長孔を設け、手摺柱または金具フレームに角度変更板を固定した手摺取付金具。
【請求項２】
手摺柱に角度変更板を固定し、支点孔と円弧状長孔に金具フレームを通したボルトナットを設け、ボルトナットを締め付けて金具フレームと手摺柱を固定可能とした請求項１記載の手摺取付金具。
【考案の詳細な説明】
【技術分野】
【０００１】  本考案は、建設現場の建物屋上のパラペットや平坦屋根端部の横方向の凸部、鉄骨等に転落防止手摺を設置するために使用する手摺取付金具に関する。
【背景技術】
【０００２】  建設現場の建物屋上のパラペットに取り付けるパラペット用手摺として、実用新案登録第３０８３４９３号公報に示されるように、手摺柱とパラペットに取り付ける金具が一体となり、その手摺柱に手摺パイプや鎖を取り付けるようにしたものが知られている。【０００３】  前記パラペット用手摺では、パイプを素材として構成された水平部と、水平部の内方端部から上方に設けた垂直部と、水平部の外方端部から下方に設けた略半円状部からなる手摺柱と、手摺柱の水平部の内方から下方に内方脚を設け、内方脚の位置はその挟持金具が水平部を挟む位置を変えて調節自在とし、内方脚からネジ棒を回すことにより進退する内方圧着板を設け、手摺柱の略半円状部と内方圧着板とでパラペットを横方向に挟持することで、パラペット用手摺を固定している。【０００４】  また、建設現場の平坦屋根端部など横方向の凸部や、二階建て以上の建築物の階段用開口などに転落防止手摺を設けるものとして、実開平４−４８３６０号公報にはコンクリートフロア端部を縦方向に挟持して手摺柱を設置する落下防護用仮設柵が示されている。【０００５】  この落下防護用仮設柵では、一端部に手すりが取り付けられ、他端側には複数個のピン挿通孔が軸線方向に適宜間隔をおいて設けられた支柱と、この支柱に相対摺動自在に嵌装されて周面に軸線方向に長い長孔を有すると共に外周面には雄螺子が形成された螺子管と、前記螺子管に設けられた第一の挟持体と、前記支柱の他端部に取付けられ前記第一の挟持体と共に構造物を挟持する第二の挟持体、前記ピン挿通孔のいずれか一つに選択的に挿通されてその端部が前記長孔に挿入されるピンと、前記螺子管に螺合され前記ピンを前記長孔に沿って移動させるナット部材とで構成されている。【０００６】  上記の落下防護用仮設柵では、ナット部材の回転操作によって第一、第二の挟持体がフロアを挟持するため、その取り付け、取り外し作業が簡単かつ容易で、強度が大きく開口部からの落下を防止することができるとしている。【０００７】  また、建設現場のパラペットや平坦屋根端部の横方向の凸部を、横方向または縦方向に挟持しても手摺柱が鉛直上向きに起立固定可能とすることで器材を兼用でき、さらに運搬時はコンパクトにすることができるものとして、実用新案登録第３１８４０５２号公報に示されるように、略コの字形に構成する手摺取付金具のフレームに手摺柱を設け、手摺柱はその基端部で手摺取付金具のフレームに回動可能に軸支されるものが知られている。
【先行技術文献】
【特許文献】
【０００８】
【特許文献１】実用新案登録第３０８３４９３号公報
【特許文献２】実開平４−４８３６０号公報
【特許文献３】実用新案登録第３１８４０５２号公報
【考案の概要】
【考案が解決しようとする課題】
【０００９】  上記従来の特許文献１や特許文献２に示されるような手摺では、異方向に挟持したのでは手摺を形成できないのを、特許文献３に示されるものでは、取り付けるための金具が縦方向と横方向に兼用して挟持できる。すなわち、手摺柱はその基端部で手摺取付金具のフレームに回動可能に軸支されるために、取り付ける構造物の場所が異なっても器材を共通化できる。【００１０】  しかし、特許文献３の手摺取付金具では、手摺柱の基端部が手摺取付金具のフレームに回動可能に軸支し、手摺柱の回動には異なる孔にボルトナットを差し替えることで鉛直状態と水平状態に固定が可能としていた。さらに、運搬時にコンパクトにするのにもボルトを抜き差ししていた。つまり、手摺柱の回動に際してボルトの抜き差しが必要であり、建設現場で手回しでナットを緩めボルトを抜き差しするのは紛失の恐れもあり、非常に煩わしかった。【００１１】  そこで本考案では、手摺取付金具を縦横いずれの方向で挟持しても手摺柱が鉛直上向きに起立固定可能とすることで器材を兼用でき、さらに運搬時はコンパクトにすることができる手摺取付金具において、手摺柱の回動にボルトの抜き差しの煩わしさの無い手摺取付金具を提供することを目的とする。
【課題を解決するための手段】
【００１２】  請求項１の手摺取付金具１は、略コの字形をしたクランプ状の手摺取付金具１で横方向または縦方向に挟持する形で固定して、略コの字形に構成する手摺取付金具１の金具フレーム２ａに手摺柱８を取り付け、手摺柱８はその基端部で手摺取付金具１の金具フレーム２ａに回動可能に軸支され、手摺取付金具１の略コの字形の開口を下向きにして横方向に挟持する際も、略コの字形の開口を横向きにして縦方向に挟持する際も、いずれも手摺柱８を鉛直上向きに起立固定可能とし、手摺柱８に手摺パイプ１０を取り付けるようにした転落防止手摺であり、手摺取付金具１を使用しないときは手摺柱８を手摺取付金具１に添わせてコンパクトに折り畳むことができるようにした手摺取付金具１において、金具フレーム２ａと手摺柱８の間に角度変更板８ｂを設け、角度変更板８ｂに支点孔８ｄと支点孔８ｄを中心とする中心角度が約１８０度の円弧状長孔８ｃを設け、手摺柱８または金具フレーム２ａに角度変更板８ｂを固定したものである。【００１３】  請求項２の手摺取付金具１は、手摺柱８に角度変更板８ｂを固定し、支点孔８ｄと円弧状長孔８ｃに金具フレーム２ａを通したボルトナット７ａ，７ｂを設け、ボルトナット７ａ，７ｂを締め付けて金具フレーム２ａと手摺柱８を固定可能としたものである。
【考案の効果】
【００１４】  請求項１の考案によれば、金具フレーム２ａと手摺柱８の間に角度変更板８ｂを設け、角度変更板８ｂに支点孔８ｄと支点孔８ｄを中心とする中心角度が約１８０度の円弧状長孔８ｃを設け、手摺柱８または金具フレーム２ａに角度変更板８ｂを固定したから、手摺柱８は金具フレーム２ａに対して約１８０度の間だけ回動可能に軸支され、手摺柱８を鉛直上向きに起立固定可能かつ手摺取付金具１に添わせてコンパクトに折り畳むことができる。【００１５】  請求項２の考案によれば、手摺柱８に角度変更板８ｂを固定し、支点孔８ｄと円弧状長孔８ｃに金具フレーム２ａを通したボルトナット７ａ，７ｂを設け、ボルトナット７ａ，７ｂを締め付けて金具フレーム２ａと手摺柱８を固定可能としたから、ボルトナット７ａ，７ｂを少し緩めるだけで手摺柱８を回動可能であり、ボルトナット７ｂの抜き差しの煩わしさが無い。
【図面の簡単な説明】
【００１６】
【図１】本考案の実施例に係る手摺取付金具をパラペットに取り付けた側面図である。
【図２】図１の正面図である。
【図３】図１の部分拡大図である。
【図４】本考案の実施例に係る手摺取付金具を横方向の鉄骨に取り付けた場合を示す側面図である。
【図５】本考案の実施例に係る手摺取付金具を使用しないときに折り畳んだ状態を示す側面図である。
【図６】図３の別な実施例を示す図である。
【考案を実施するための形態】
【００１７】  手摺取付金具１を縦横いずれの方向で挟持しても手摺柱８が鉛直上向きに起立固定可能とすることで器材を兼用でき、さらに運搬時はコンパクトにすることができる手摺取付金具１を提供する目的を、略コの字形をしたクランプ状の手摺取付金具１で横方向または縦方向に挟持する形で固定して、略コの字形に構成する手摺取付金具１の金具フレーム２ａに手摺柱８を取り付け、手摺柱８はその基端部で手摺取付金具１の金具フレーム２ａに回動可能に軸支され、手摺取付金具１の略コの字形の開口を下向きにして横方向に挟持する際も、略コの字形の開口を横向きにして縦方向に挟持する際も、いずれも手摺柱８を鉛直上向きに起立固定可能とし、手摺柱８に手摺パイプ１０を取り付けるようにした転落防止手摺であり、手摺取付金具１を使用しないときは手摺柱８を手摺取付金具１に添わせてコンパクトに折り畳むことができるようにした手摺取付金具１において、金具フレーム２ａと手摺柱８の間に角度変更板８ｂを設け、角度変更板８ｂに支点孔８ｄと支点孔８ｄを中心とする中心角度が約１８０度の円弧状長孔８ｃを設け、手摺柱８または金具フレーム２ａに角度変更板８ｂを固定したことで実現した。
【００１８】  また、手摺柱８の回動にボルトの抜き差しの煩わしさの無い手摺取付金具１を提供する目的を、手摺柱８に角度変更板８ｂを固定し、支点孔８ｄと円弧状長孔８ｃに金具フレーム２ａを通したボルトナット７ａ，７ｂを設け、ボルトナット７ａ，７ｂを締め付けて金具フレーム２ａと手摺柱８を固定可能としたことで実現した。
【実施例１】
【００１９】  以下に、図面を参照しながら本考案の実施例１について説明する。図１から図３に示すのは本考案の実施例１に係る手摺取付金具１を建物屋上のパラペット２０に取り付けた図である。【００２０】  手摺取付金具１は略コの字形の金具で、略コの字形の開口を下向きとしてパラペット２０の上から被り、パラペット２０の内面２０ａと外面２０ｂを横方向に挟持して固定するもので、パラペット２０に沿って所定間隔をあけて複数取り付け、手摺取付金具１からはパラペット２０の内方に手摺柱８を起立させて設け、手摺柱８間に手摺パイプ１０を掛け渡して固定し、転落防止手摺を構築するものである。【００２１】  手摺取付金具１は主として外方挟持金具２と内方挟持金具３からなる。図３に示すように、外方挟持金具２にはパラペット外面２０ｂに直交してパラペット２０の内方へとパラペット２０上端の上方を横断する水平な金具フレーム２ａと、金具フレーム２ａのパラペット２０外方の端部から下垂する外方下垂フレーム２ｂと、外方下垂フレーム２ｂの下端からパラペット外面２０ｂへ向かって突出する外方当接板２ｃを設け、全体を横倒し「し」の字形状に形成する。また、金具フレーム２ａはパラペット２０の内方へ内面２０ａよりもやや突出するよう長くし、その先端部２ヶ所に孔２ｄを開けておく。【００２２】  上記金具フレーム２ａと外方下垂フレーム２ｂは鋼製の角鋼管材を使用して構成し、外方当接板２ｃは四角形状の平鋼板で、パラペット外面２０ｂに当接する面にゴム板等の弾性板をネジ止めしておく。これはパラペット２０に当接する部分に傷をつけないためと、しっかりと当接してずれないようにするためである。【００２３】  本実施例では金具フレーム２ａ、外方下垂フレーム２ｂは一辺が４０ｍｍの角鋼管とし、金具フレーム２ａの水平方向の長さは約８１０ｍｍ、金具フレーム２ａ上端から外方下垂フレーム２ｂ下端までは約３４０ｍｍ、外方当接板２ｃは縦約１６０ｍｍ、横約１３０ｍｍの長方形としている。【００２４】  次に金具フレーム２ａのパラペット内面２０ａ付近の位置には内方挟持金具３を設ける。内方挟持金具３は主に金具フレーム２ａの外側に被るスライド管３ａと、スライド管３ａから下垂する腕状の内方下垂フレーム３ｂと内方下垂フレーム３ｂの下端から外方当接板２ｃと同じ高さでパラペット内面２０ａに当接する内方当接部材４からなる。【００２５】  スライド管３ａは金具フレーム２ａの外側に被る一回り大きな鋼製の角鋼管材で、上面には２ヶ所に貫通孔を設けるとともに、ナットを溶接して取り付け、そのナットに押しボルト５をネジ込んでスライド管３ａが金具フレーム２ａの任意の位置にスライドして固定できるようにしておく。【００２６】  このとき、押しボルト５のネジ先端と金具フレーム２ａの上面の間にはスライド管３ａよりも少し長い平板状の当板６を設ける。当板６はスライド管３ａのスライド方向の両端部に起立突起を設け、スライド管３ａが金具フレーム２ａをスライドした時に当板６が抜け出てくるのを防止しておく。当板６があることで、押しボルト５を締めつけた時に金具フレーム２ａのボルトが接触する部分だけが潰れるのを防いで、確実に固定できるようになる。【００２７】  内方下垂フレーム３ｂは外方下垂フレーム２ｂと同様の角鋼管材のフレームで、その下端付近にはパラペット内面２０ａに向けた貫通孔と、貫通孔と同軸で図示しないナットをパイプ内部に設けておく。そして前記ナットと貫通孔を通して内方当接部材４を設ける。【００２８】  内方当接部材４は、前記内方下垂フレーム３ｂ内部のナットを通る寸切りボルト状の圧着ネジ４ａと、圧着ネジ４ａのパラペット内面２０ａ側の端部に取り付けられ、自由に回転するよう固定された垂直板状の内方当接板４ｂと、内方当接板４ｂから設けられ、圧着ネジ４ａと平行にそのやや上方の内方下垂フレーム３ｂを貫通する回り止め棒４ｃを設ける。【００２９】  圧着ネジ４ａのパラペット内面２０ａ側の端部は段付丸棒形状とし、他方の端部は六角形状としてレンチ等で回せる形状としておく。内方当接板４ｂは外方当接板２ｃと同様の四角形状の平鋼板で、内方当接板４ｂの中心に貫通孔を設け、前記圧着ネジ４ａの段付の先細部を差し込んで割りピン等で抜けないようにしておく。【００３０】  内方当接板４ｂのパラペット内面２０ａに対向する面には外方当接板２ｃと同様にゴム板等の弾性板をネジ止めしておく。また、内方当接板４ｂの当接面の形状は外方当接板２ｃと略同じ形状と大きさとしておき、本実施例では前述のように縦長の長方形としている。また、内方当接板４ｂから内方下垂フレーム３ｂに向かって回り止め棒４ｃを設けているため、圧着ネジ４ａを回したときに内方当接板４ｂは共回りせず、確実に外方当接板２ｃと同じ高さでパラペット内面２０ａに当接させることができる。【００３１】  上記のように内方当接部材４を構成することで、圧着ネジ４ａを回すことで先端に設けられた内方当接板４ｂがパラペット内面２０ａに向かって進退し、外方当接部板２ｃとでパラペット２０を横方向に締めつけて狭持することができる。また、内方狭持金具３はスライド管３ａと押しボルト５によって金具フレーム２ａに沿って位置が変更可能となっており、パラペット２０の厚みが大きく変わった時は、押しボルト５を緩めて内方狭持金具３の位置を変更すればよい。またさらに、金具フレーム２ａとスライド管３ａはそれぞれ角鋼管で構成しているから、内方狭持金具３が金具フレーム２ａの長手直交方向に回ってしまうことは無く、外方当接板２ｃと内方当接板４ｂの高さが変化せずに、確実にパラペットを狭持できる。【００３２】  次に金具フレーム２ａのパラペット２０の内方端部に起立する手摺柱８を設ける。手摺柱８には金具フレーム２ａと同サイズの角鋼管材からなる縦に長い柱フレーム８ａと、柱フレーム８ａの下端部を左右から挟むように溶接で固定した一対の平板の角度変更板８ｂを設ける。【００３３】  図３に示すように、一対の角度変更板８ｂは柱フレーム８ａの下端部から下方とパラペット２０側にやや突出するようにした縦長の平鋼板で、その高さ方向には中央でパラペット２０側端部に支点孔８ｄを設け、その支点孔８ｄを中心とする中心角度が約１８０度の円弧状長孔８ｃを設ける。円弧状長孔８ｃは支点孔８ｄの上下を始端としてパラペット２０から遠い側に設ける。支点孔８ｄと円弧状長孔８ｃに金具フレーム２ａの孔２ｄを通したボルトナット７ａ，７ｂを設け、ボルトナット７ａ，７ｂを締め付けて金具フレーム２ａと手摺柱８を固定可能とする。【００３４】  このとき手摺柱８は、角度変更板８ｂに設けた支点孔８ｄに通したボルトナット７ａを中心として、円弧状長孔８ｃの約１８０度の角度だけ回動可能に軸支される。手摺柱８が起立した状態で、円弧状長孔８ｃを通るボルトナット７ｂはその円弧状長孔８ｃの中心に位置して固定される。本実施例では、手摺柱８は起立させたときにその下端から上端までの長さは約８９０ｍｍとした。【００３５】  手摺柱８の柱フレーム８ａには、その下端からやや上方と上端付近にパイプクランプ９を設ける。以上のように構成した手摺取付金具１をパラペット２０に沿って併設して取り付け、パイプクランプ９間にそれぞれ単管の手摺パイプ１０を掛け渡して固定することで、転落防止手摺を構築できる。【００３６】  次に図４に示すように、本実施例に係る手摺取付金具１を横方向の鉄骨３０に取り付ける場合の使用方法について説明する。【００３７】  横方向の鉄骨３０に手摺取付金具１を取り付ける場合には、外方狭持金具２の金具フレーム２ａを横方向の鉄骨３０の外方へ起立させ、外方当接板２ｃが横方向の鉄骨３０の下面、内方当接板４ｂが上面に当接するようにし、圧着ネジ４ａを回して横方向の鉄骨３０を上下に挟んで狭持、固定する。そして、手摺柱８の角度変更板８ｂの支点孔８ｄと円弧状長孔８ｃおよび金具フレーム２ａの孔２ｄを通したボルトナット７ａ，７ｂを緩め、手摺柱８をその先端が鉛直上向きとなるよう回動させ、ボルトナット７ａ，７ｂを締め付けて固定する。【００３８】  上記のように固定した手摺取付金具１を横方向の鉄骨３０に沿って併設し、パイプクランプ９間にそれぞれ手摺パイプ１０を掛け渡して固定し、パラペット２０に取り付けた場合と同様に転落防止手摺を構成する。本考案の手摺取付金具１を用いれば、狭持する方向が縦方向でも横方向でも、手摺柱８を起立固定させることが容易で、器材も共通化できる。【００３９】  次に図５に示すように本実施例に係る手摺取付金具１は使用しないときはコンパクトに折り畳むことができる。【００４０】  手摺取付金具１を使用しないときは、内方狭持金具３のスライド管３ａの押しボルト５を緩めて内方当接板４ｂが外方当接板２ｃに当接するまでスライドさせ、押しボルト５を締めつけて固定する。【００４１】  次に、手摺柱８の角度変更板８ｂの支点孔８ｄと円弧状長孔８ｃおよび金具フレーム２ａの孔２ｄを通したボルトナット７ａ，７ｂを緩め、外方下垂フレーム２ｂ側へと屈曲させるように倒し、金具フレーム２ａに添った状態で、ボルトナット７ａ，７ｂを締め付けて固定する。【００４２】  以上のように手摺柱８を折り畳んで固定できるので嵩張らず、手摺取付金具１の運搬や輸送が容易に行える。
【実施例２】
【００４３】  図６に示すのは本考案の別の実施例２に係る手摺取付金具１であり、実施例１と異なる点のみ説明する。【００４４】  外方挟持金具２の金具フレーム２ａの先端部を左右から挟むように溶接で固定した一対の平板の角度変更板８ｂを設ける。【００４５】  一対の角度変更板８ｂは金具フレーム２ａの先端部から上方とパラペット２０と反対側に突出するようにした縦長の平鋼板で、その水平方向には中央で上端部に支点孔８ｄを設け、その支点孔８ｄを中心とする中心角度が約１８０度の円弧状長孔８ｃを設ける。円弧状長孔８ｃは支点孔８ｄの左右を始端として下側に設ける。支点孔８ｄと円弧状長孔８ｃに手摺柱８の柱フレーム８ａの孔を通したボルトナット７ａ，７ｂを設け、ボルトナット７ａ，７ｂを締め付けて金具フレーム２ａと手摺柱８を固定可能とする。【００４６】  なお、金具フレーム２ａへの角度変更板８ｂの溶接による固定は、内方挟持金具３のスライド管３ａと当板６に金具フレーム２ａを先に通した後に行なうと良い。また、金具フレーム２ａへの角度変更板８ｂの固定は、ボルトとナットによる着脱自在な固定としても良い。【００４７】  以上の実施例では、安価に提供するため、支点孔８ｄと円弧状長孔８ｃに通したボルトナット７ａ，７ｂを締め付けて金具フレーム２ａと手摺柱８を固定可能とした例を示したが、支点孔８ｄを通るものは必ずしも締め付ける必要は無く両端に抜け止めを施したピンのようなものでも良く、円弧状長孔８ｃを通るものはレバーを倒すことにより締め付けるクランプのようなものでも良い。【００４８】  また、手摺取付金具１を縦横いずれかの方向で挟持しても手摺柱８が鉛直上向きに起立固定可能とした例を示したが、手摺取付金具１を斜め方向に挟持しても手摺柱８が鉛直上向きに起立固定可能としても良い。
【符号の説明】
【００４９】１    手摺取付金具
２ａ  金具フレーム
７ａ  ボルトナット
７ｂ  ボルトナット
８    手摺柱
８ｂ  角度変更板
８ｃ  円弧状長孔
８ｄ  支点孔
１０  手摺パイプ
【図１】
0003186888.tif 000003
【図２】
0003186888.tif 000004
【図３】
0003186888.tif 000005
【図４】
0003186888.tif 000006
【図５】
0003186888.tif 000007
【図６】
0003186888.tif 000008